(57)【要約】【課題】鋼管材の直径に依存せずに取り付け可能であり、さらに豪雨によってもずり下がるおそれがなく、かつ取り付け時に工具を必要としない雨水集中落下防止装置および防蛇シートを提供する。【解決手段】鉄塔を構成する鋼管材を伝って雨水が集中的に落下することを防止するための雨水集中落下防止装置１であって、鋼管材に巻回される索状体２と、この索状体２の先端２ａ及び末端２ｂ同士を連結する連結具６を備え、索状体２は、少なくとも鋼管材に接触する面が、鋼管材と接触して摩擦力を発生させる摩擦材で被覆される。【選択図】図２
2018178404.tif 000002
【特許請求の範囲】
【請求項１】
鉄塔を構成する鋼管材を伝って雨水が集中的に落下することを防止するための雨水集中落下防止装置であって、
前記鋼管材に巻回される索状体と、
この索状体の先端及び末端同士を連結する連結具を備え、
前記索状体は、少なくとも前記鋼管材に接触する面が、前記鋼管材と接触して摩擦力を発生させる摩擦材で被覆されることを特徴とする雨水集中落下防止装置。
【請求項２】
前記索状体は、チェーンであることを特徴とする請求項１に記載の雨水集中落下防止装置。
【請求項３】
前記連結具は、前記先端が挿入される挿入口と、この先端が送り出される送出口と、前記索状体が収容される収容空間が形成されるように、間隔を空けて対向する一対の平板を備え、
この一対の平板は、前記送出口の付近に前記末端が連結され、
前記収容空間は、前記索状体を案内する案内部材と、前記索状体の送り出しを停止するロック部材が収容され、
前記案内部材は、一対の前記平板を連結する第１の軸体と、この第１の軸体に軸支され一対の前記平板に対し回動するとともに、前記索状体と接触する回動体と、前記第１の軸体と前記送出口の間に設けられ、前記索状体の前記先端を前記送出口へ案内する斜面であり、
前記ロック部材は、一対の前記平板を連結する第２の軸体と、この第２の軸体に軸支され一対の前記平板に対し回動する係止部材と、一端が前記第１の軸体に取り付けられ、前記第１の軸体を中心として回動する操作レバーと、を備え、
この操作レバーは、その他端が前記係止部材に到達可能な長さに構成されることを特徴とする請求項１又は請求項２に記載の雨水集中落下防止装置。
【請求項４】
前記摩擦材は、柔軟性を有する合成樹脂から形成され、衝撃吸収性を有することを特徴とする請求項１乃至請求項３のいずれか１項に記載の雨水集中落下防止装置。
【請求項５】
請求項１乃至請求項４のいずれか１項に記載の雨水集中落下防止装置を介して前記鋼管材に巻回される防蛇シートであって、
複数の辺を有するシート体と、
前記複数の辺のうちの一つの辺に設けられ、前記索状体を介して前記一つの辺を前記鋼管材に固定する固定部材と、
前記一つの辺を挟んだ二つの辺に設けられ、前記シート体を前記鋼管材に巻回した状態を保持するために、前記二つの辺を互いに連結する連結部材が設けられることを特徴とする防蛇シート。
【発明の詳細な説明】
【技術分野】
【０００１】
本発明は、鉄塔を構成する鋼管材を伝って雨水が集中的に落下することを防止するための雨水集中落下防止装置および防蛇シートに係り、特に、鋼管材に接触する面が、摩擦材で被覆される雨水集中落下防止装置およびこれに固定される防蛇シートに関する。
【背景技術】
【０００２】
従来、鉄塔を構成する複数の傾斜した鋼管材を流下する雨水が合流し、集中して敷地に落下するため、落下点において表土が流出し、敷地の荒廃が著しいという課題があった。この課題を解決するため、敷地を元の状態に復元すべく、表土が流出した跡を埋め戻すことが行われてきた。
しかし、埋め戻しには多大な労力と費用が必要であって、これを頻繁に行うことが困難であったことから、敷地の荒廃が著しいという課題を十分に解決することができなかった。
また、鋼管材に、蛇が這い上がったり、つる性植物が巻き付いたりすることによって、これらが送電線等に接触して地絡事故が発生したり、架線作業に支障を来したりするおそれがあった。
そこで、鉄塔の鋼管材に取り付けて雨水の分散を図るための先行技術や、蛇の登はん等を防止する先行技術が開発されており、それに関して既にいくつかの発明や考案が開示されている。
【０００３】
特許文献１には、「鋼管製送電鉄塔の斜材用雨水分散装置」という名称で、鋼管製送電鉄塔の各主柱間を結ぶ斜材に取り付けるための雨水分散装置に関する考案が開示されている。
以下、特許文献１に開示された考案について説明する。特許文献１に開示された考案は、斜材の上下両端間の途中箇所に巻き付けられて、雨水がこの斜材を伝わって流下するのを阻止する巻付材と、斜材に巻付けた巻付材の両端を締結する締結具を備え、巻付材は、ステンレススチール製のバンドを芯材とし、この芯材に、それより長さの短かい可撓性チューブ状体を外挿して構成されることを特徴とする。  このような特徴を有する斜材用雨水分散装置によれば、斜材に降りそそいだうえ、斜材を伝わって流下する雨水は、可撓性チューブ状体によって流下を阻止され、その表面に沿って流れ落ちて巻付材の最下部に集まったうえ、鉄塔の敷地上に滴り落ちる。  したがって、雨水集中滴下箇所の１箇所当たりの集中滴下水量が減少し、敷地の荒廃をほぼ解消することができる。
【０００４】
次に、特許文献２には、「鉄塔の雨水止具及び鉄塔の雨水集中落下防止方法」という名称で、鋼管材を伝う雨水を分散して落下させる鉄塔の雨水止具に関する発明が開示されている。
以下、特許文献２に開示された発明について説明する。特許文献２に開示された発明は、鋼管材の外周を包囲するようにそれぞれ取り付けられる第１及び第２の水切り具の組み合わせからなる雨水止具であって、第１の水切り具は、鋼管材の外周に固定される取付部と、鋼管材に固定された状態で内周が鋼管材の外周に密接し、外周側が鋼管材の外周に鍔状に広がる環状の遮水板と、第２の水切り具は、鋼管材の外周に沿うように配置され水抜き孔を有する柔軟な合成樹脂製の管材と、この管材に挿通され管材を当該鋼管材に固定するために当該鋼管材に巻き付けて締め付けられるバインド線材を備えることを特徴とする。  このような特徴を有する鉄塔の雨水止具によれば、鉄塔の各部材に伝わる雨水が、鉄塔の上部においては、第２の水切り具によって流れを妨げられ、飛散して落下し、一部は管材を超えて流下し広い範囲で分散落下する。鉄塔の下部では、管材を超えて流下してきた雨水及び鋼管材自身へ降る雨水を最終的に第１の水切り具で遮断して飛散落下させる。このようにして、雨水の集中落下による敷地の荒廃を防ぐことができる。
【０００５】
さらに、特許文献３には、「電柱における蔓草及び蛇・小動物等の登はん防止構造」という名称で、蔓草や蛇が電柱に巻き付くことを防止する登はん防止構造に関する発明が開示されている。
以下、特許文献３に開示された発明について説明する。特許文献３に開示された発明は、電柱の表面に蛇害防止用粘着テープを周回状に貼着するとともに、蛇害防止用粘着テープより上方に碗形状に形成した登はん防止具を、取付バンド、締付ボルト及びナットで電柱に取着することを特徴とする。
このような特徴を有する登はん防止構造によれば、蛇は蛇害防止用粘着テープを忌避するため、蛇の登はんを防止できる。また、蔓草や野鼠等の小動物は、蛇害防止用粘着テープを忌避せずにこのテープ上をよじ登るが、登はん防止具に遮ぎられて後戻りを余儀なくされる。
【先行技術文献】
【特許文献】
【０００６】
【特許文献１】実開平５−８７１６３号公報
【特許文献２】特開２００４−１０７８８１号公報
【特許文献３】特開平５−２３１０４４号公報
【発明の概要】
【発明が解決しようとする課題】
【０００７】
しかしながら、特許文献１に開示された考案においては、雨水が可撓性チューブ状体の内部に貯留し、その荷重によって巻付材が斜材に沿ってずり下がる可能性がある。  
【０００８】
また、特許文献２に開示された発明においては、第１の水切り具は、鋼管材の直径毎に異なるサイズの遮水板を製造することが必要であり、汎用性が乏しい。
また、第２の水切り具は、バインド線材の両端を連結するために工具を必要とし、また、この両端を連結することで形成される連結部が突起状をなしているため、作業員の負傷や、資材の損傷を招くおそれがある。あるいは、落下物が落下する際や資材の上げ下ろしの際にこれらが連結部に衝突することで連結部が破損し、第２の水切り具が落下してしまうおそれもある。
さらに、管材は雨水の流下を効率的に妨げるために円筒形に形成されるとともに、管材の中に貯留した雨水は水抜き孔を通って放出される。しかし、豪雨の場合には、管材が円筒形に形成されることでかえって雨水が衝突する圧力を逃がし切れず、かつ水抜き孔からの雨水の放出が間に合わないおそれがある。これにより、第２の水切り具がずり下がる可能性がある。
【０００９】
さらに、特許文献３に開示された発明においては、登はん防止具は、取付バンド、締付ボルト及びナットで取り付け対象物に取着されることから、取り付け時に工具等が必要である。特に、取り付け対象が斜材である場合には、足場がない場所での取付作業となる。したがって、このような場所において、工具を用いて細かい作業をすることは、その効率が良好でないとともに、作業員にとって苦慮を強いられるものとなる。
【００１０】
本発明は、このような従来の事情に対処してなされたものであり、鋼管材の直径に依存せずに取り付け可能であり、さらに豪雨によってもずり下がるおそれがなく、かつ取り付け時に工具を必要としない雨水集中落下防止装置および防蛇シートを提供することを目的とする。
【課題を解決するための手段】
【００１１】
上記目的を達成するため、第１の発明は、鉄塔を構成する鋼管材を伝って雨水が集中的に落下することを防止するための雨水集中落下防止装置であって、鋼管材に巻回される索状体と、この索状体の先端及び末端同士を連結する連結具を備え、索状体は、少なくとも鋼管材に接触する面が、鋼管材と接触して摩擦力を発生させる摩擦材で被覆されることを特徴とする。
このような構成の発明において、索状体は、例えば、チェーン、ロープ、ワイヤー等が使用される。また、連結具は、工具不要で索状体の先端及び末端同士を連結可能なものであって、例えば、Ｓ字フックやクリップの他、特に索状体がチェーンである場合には、このチェーンの隙間に係止される係止部材が考えられる。
【００１２】
上記構成の発明においては、鋼管材を伝って流下してきた雨水は、索状体に衝突してその流れの方向を変え、敷地の広い範囲に分散されて落下する。この索状体は、連結具によって索状体の先端及び末端同士が連結されているとともに、鋼管材に接触する面が、摩擦材で被覆されるため、索状体の鋼管材に対する密着性が良好である。
【００１３】
次に、第２の発明は、第１の発明において、索状体は、チェーンであることを特徴とする。
このような構成の発明において、チェーンは、例えば、ローラーチェーンやリンクチェーン等、連続する複数の隙間を有するものが好適であり、特にその種類は問わない。
上記構成の発明においては、第１の発明の作用に加えて、チェーンは、ロープやワイヤーと異なり、複雑な立体形状をなしていることから、落下してきた雨水が様々な方向に分散される。また、チェーンは、連続する複数の隙間を有するため、雨水を分散する一方で、一部の雨水がこれらの隙間を通過する。
【００１４】
さらに、第３の発明は、第１又は第２の発明において、連結具は、先端が挿入される挿入口と、この先端が送り出される送出口と、索状体が収容される収容空間が形成されるように、間隔を空けて対向する一対の平板を備え、この一対の平板は、送出口の付近に末端が連結され、収容空間は、索状体を案内する案内部材と、索状体の送り出しを停止するロック部材が収容され、案内部材は、一対の平板を連結する第１の軸体と、この第１の軸体に軸支され一対の平板に対し回動するとともに、索状体と接触する回動体と、第１の軸体と送出口の間に設けられ、索状体の先端を送出口へ案内する斜面であり、ロック部材は、一対の平板を連結する第２の軸体と、この第２の軸体に軸支され一対の平板に対し回動する係止部材と、一端が第１の軸体に取り付けられ、第１の軸体を中心として回動する操作レバーと、を備え、この操作レバーは、その他端が係止部材に到達可能な長さに構成されることを特徴とする。
このような構成の発明においては、第１又は第２の発明の作用に加えて、索状体の先端が挿入口から収容空間へ挿入された後、索状体が回動体に接触する。この回動体は、第１の軸体に軸支され一対の平板に対し回動するとともに、索状体と接触することから、回動体が回動することにより、索状体が送り出される際に第１の軸体と直交する方向へ案内される。案内された索状体の先端は、末端との衝突を回避するよう斜面によって送出口へ案内される。
【００１５】
送出口へ案内された索状体の先端は、送出口から送り出される。このとき、ロック部材である係止部材を、一対の平板に対し回動させて索状体に係止させると、索状体の送り出しが停止する。さらに、その他端が係止部材に到達可能な長さに構成される操作レバーを第１の軸体を中心として回動させると、操作レバーが係止部材を押さえてこれが第２の軸体に対し回動することを抑制する。したがって、索状体の送り出しが停止された状態が保持されるから、索状体の先端と末端が強固に連結される。
これに対し、操作レバーを上記と逆方向へ回動して係止部材への押さえを解除し、係止部材の索状体に対する係止を解除することで、索状体の先端と末端は分離可能な状態となる。
【００１６】
そして、第４の発明は、第１乃至第３のいずれかの発明において、摩擦材は、柔軟性を有する合成樹脂から形成され、衝撃吸収性を有することを特徴とする。
このような構成の発明において、合成樹脂の種類は、柔軟性を有する限り、特に限定されない。
上記構成の発明においては、第１乃至第３のいずれかの発明の作用に加えて、摩擦材が衝撃吸収性を有するため、索状体が鋼管材に衝突した際の鋼管材の損傷が回避される。
【００１７】
最後に、第５の発明は、第１乃至第４のいずれかの発明を介して鋼管材に巻回される防蛇シートであって、複数の辺を有するシート体と、複数の辺のうちの一つの辺に設けられ、索状体を介して一つの辺を鋼管材に固定する固定部材と、一つの辺を挟んだ二つの辺に設けられ、シート体を鋼管材に巻回した状態を保持するために、二つの辺を互いに連結する連結部材が設けられることを特徴とする。
【００１８】
このような構成の発明において、シート体、固定部材及び連結部材は、例えば、工具を用いることなく屈曲可能な合成樹脂材料から形成される。
上記構成の発明においては、第１乃至第４のいずれかの発明の作用に加えて、シート体の一つの辺を索状体を介して鋼管材に固定した後、二つの辺を連結部材を介して互いに連結すると、シート体が鋼管材の周囲に巻回される。したがって、蛇やつる性植物が、鋼管材の下方から登って来た場合に、これらがシート体を超えて上昇することができなくなる。
なお、一つの辺を索状体を介して鋼管材に固定するとは、例えば、索状体がチェーンである場合に、固定部材をチェーンの連続する隙間に差し込んで、シート体を索状体に固定することによって、シート体が鋼管材に固定される場合が考えられる。また、索状体がロープである場合には、固定部材をロープと鋼管材の間に差し込むことで、シート体が鋼管材に固定される場合が考えられる。
【発明の効果】
【００１９】
第１の発明によれば、鋼管材を伝って落下してきた雨水が索状体に衝突し、敷地の広い範囲に分散されて落下することから、雨水の集中落下を防止可能であり、敷地内の表土の流出を抑制することができる。
また、鋼管材に巻回する索状体は屈曲自在であるため、鋼管材の直径に依存せずに取り付け可能である。さらに、摩擦材によって、索状体の鋼管材に対する密着性が良好であるため、索状体が鋼管材からずり下がることを防止できる。したがって、長期間に亘って安定的に雨水の集中落下を防止可能である。
そして、第１の発明によれば、工具不要で索状体の先端及び末端同士を連結可能な連結具を備えることから、足場のない場所であっても取り付け作業が容易である。
【００２０】
第２の発明によれば、第１の発明の効果に加えて、落下してきた雨水が様々な方向に分散されるため、雨水の集中落下をより効果的に防止することができる。また、チェーンは、雨水を分散する一方で、一部の雨水がこれらの隙間を通過することから、豪雨の場合であっても、雨水がチェーンに衝突する圧力を逃がすことができ、チェーンのずり下がりを発生させない。
【００２１】
第３の発明によれば、第２の発明の効果に加えて、係止部材と操作レバーを操作することによって、索状体の先端と末端は互いに連結または分離されるため、工具を使用することなく雨水集中落下防止装置を簡単に鋼管材へ着脱することができる。
【００２２】
第４の発明によれば、第１乃至第３のいずれかの発明の効果に加えて、索状体が鋼管材に衝突した際の鋼管材の損傷が回避されるので、索状体を鋼管材に巻回したことによる不利益を無くすことができる。
【００２３】
第５の発明によれば、シート体を索状体を介して鋼管材に固定した後、二つの辺を連結部材を介して互いに連結するという簡単な手順によって、シート体を鋼管材に巻回可能である。
【図面の簡単な説明】
【００２４】
【図１】（ａ）及び（ｂ）は、それぞれ実施例１に係る雨水集中落下防止装置の取り付け位置を説明するための外観図であり、（ｃ）は、実施例１に係る雨水集中落下防止装置を鋼管材に取り付けた場合における鋼管材の横断面図である。
【図２】（ａ）は、実施例１に係る雨水集中落下防止装置の側面図であり、（ｂ）は、（ａ）におけるＡ方向矢視図である。
【図３】実施例１に係る雨水集中落下防止装置を構成する索状体の側面図である。
【図４】実施例１に係る雨水集中落下防止装置を構成する連結具の側面図である。
【図５】実施例１に係る雨水集中落下防止装置を構成する連結具の側面図である。
【図６】実施例１に係る雨水集中落下防止装置を構成する連結具の側面図である。
【図７】（ａ）及び（ｂ）は、それぞれ実施例２に係る防蛇シートの平面図及び使用状態図である。
【発明を実施するための形態】
【実施例１】
【００２５】
本発明の実施の形態に係る雨水集中落下防止装置について、図１乃至図６を用いて詳細に説明する。図１（ａ）及び図１（ｂ）は、それぞれ実施例１に係る雨水集中落下防止装置の取り付け位置を説明するための外観図であり、図１（ｃ）は、実施例１に係る雨水集中落下防止装置を鋼管材に取り付けた場合における鋼管材の横断面図である。
図１（ａ）に示すように、本実施例に係る雨水集中落下防止装置１は、鉄塔５０を構成する円筒形状の鋼管材５１を伝って雨水が集中的に落下することを防止するために、斜材である鋼管材５１の途中（点線円で囲んだ部分）に取り付けられる。
また、図１（ｂ）及び図１（ｃ）に示すように、雨水集中落下防止装置１は、鋼管材５１に巻回される索状体２と、この索状体２の先端及び末端同士を連結する連結具６を備える。そして、索状体２は、鋼管材５１の長軸Ｊに対して、略直角をなすように、鋼管材５１の周面に巻回されて取り付けられる。
【００２６】
次に、図２を用いて、本実施例に係る雨水集中落下防止装置の構成について、より詳細に説明する。図２（ａ）は、実施例１に係る雨水集中落下防止装置の側面図であり、図２（ｂ）は、図２（ａ）におけるＡ方向矢視図である。なお、図１で示した構成要素については、図２においても同一の符号を付して、その説明を省略する。
図２（ａ）及び図２（ｂ）に示すように、索状体２は、一対の外プレート３，３と、一対の内プレート４，４が、それぞれの両端部分においてピン５によって互いに連結された金属製のチェーンである。外プレート３，３と、内プレート４，４は、ピン５において、互いに回動自在である。また、ピン５とピン５の間には、連続する複数の隙間Ｓ５が形成されている。
【００２７】
また、連結具６は、索状体２の先端２ａが挿入される挿入口７と、この先端２ａが送り出される送出口８と、索状体２が収容される収容空間Ｓが形成されるように、間隔を空けて対向する一対の平板９，９を備える。
この一対の平板９，９は、送出口８の付近の下方に、索状体２の末端２ｂがピン５ａ，５ａによって連結される。末端２ｂは、ピン５ａ，５ａにおいて、平板９，９に対して回動自在である。なお、回動体１４、操作レバー１８及び送出口８の付近に設けられる斜面１５については、図４乃至図６を用いて説明する。
【００２８】
さらに、図３を用いて、本実施例に係る雨水集中落下防止装置を構成する索状体について、より詳細に説明する。図３は、実施例１に係る雨水集中落下防止装置を構成する索状体の側面図である。なお、図１及び図２で示した構成要素については、図３においても同一の符号を付して、その説明を省略する。
図３に示すように、索状体２は、鋼管材５１に接触する面が、鋼管材５１と接触して摩擦力を発生させる摩擦材１０で被覆される。鋼管材５１に接触する面とは、具体的には、外プレート３，３の一方の端面３ａ，３ａと、内プレートの一方の端面４ａ，４ａである。
また、図示は省略するが、一対の平板９，９が鋼管材５１に接触する面も摩擦材１０で被覆される。一対の平板９，９が鋼管材５１に接触する面とは、平板９，９の一方の端面９ｂ，９ｂ（図４参照）である。
なお、摩擦材１０は、柔軟性を有する合成樹脂から形成され、衝撃吸収性を有している。具体的には、摩擦材１０には、シリコン樹脂やポリウレタン樹脂、ＥＶＡ樹脂等が使用される。
【００２９】
続いて、図４乃至図６を用いて、本実施例に係る雨水集中落下防止装置を構成する連結具について、より詳細に説明する。図４乃至図６は、それぞれ実施例１に係る雨水集中落下防止装置を構成する連結具の側面図である。なお、図１乃至図３で示した構成要素については、図４乃至図６においても同一の符号を付して、その説明を省略する。また、一対の平板９，９のうち、図において手前側の平板９の図示と、摩擦材１０の図示も省略する。
図４に示すように、連結具６において、収容空間Ｓは、索状体２を案内する案内部材１１と、索状体２の送り出しを停止するロック部材１２が収容される。なお、索状体２の送り出しの方向は、図において左側から右側へ進行する方向Ｘであり、索状体２を引き出す方向は、Ｘと逆向きの方向である。また、収容空間Ｓの二箇所の角部には、一対の平板９，９同士を連結する連結片９ａ，９ａが設けられている。
【００３０】
案内部材１１は、一対の平板９，９を連結する第１の軸体１３と、この第１の軸体１３に軸支され一対の平板９，９に対し回動するとともに、索状体２と接触する回動体１４と、第１の軸体１３と送出口８の間に設けられ、索状体２の先端２ａを送出口８へ案内する斜面１５である。
このうち、第１の軸体１３は、その両端が一対の平板９，９にそれぞれ固着されており、第１の軸体１３自体は平板９，９に対して回動しない。また、回動体１４は、スプロケットであって、索状体２の複数の隙間Ｓ５に噛合する歯体１４ａが側面視で９０度毎に設けられている。さらに、斜面１５は、送出口８の下方で、かつピン５ａ，５ａの挿入口７寄りに、両端面が一対の平板９，９にそれぞれ固着されて（図２（ｂ）参照）配設されている。その傾斜度は、挿入口７から送出口８に向かう方向に沿って大きくなっている。
【００３１】
ロック部材１２は、一対の平板９，９を連結する第２の軸体１６と、この第２の軸体１６に軸支され平板９，９に対し回動可能な係止部材１７と、一端１８ａが第１の軸体１３に取り付けられ、第１の軸体１３を中心として回動する操作レバー１８と、を備える。この操作レバー１８は、その他端１８ｂが係止部材１７に到達可能な長さに構成される。
このうち、第２の軸体１６は、その両端が一対の平板９，９にそれぞれ固着されており、第２の軸体１６自体は平板９，９に対して回動しない。
また、係止部材１７は、側面視で略直角三角形状をなし、その先端の係止端１７ａは、ピン５を保持可能に、側面視で略Ｕ字状に形成される。さらに、係止部材１７は、第２の軸体１６に対して回動するよう構成されていることにより、一対の平板９，９に対して回動可能となっている。また、これとは逆に、係止部材１７が第２の軸体１６に対し回動不能に軸支されるが、第２の軸体１６自体が平板９，９に対して回動する構成であっても良い。なお、係止部材１７の第２の軸体１６に対する回動のし易さは、係止部材１７の自重では回動しないが、指で容易に回動させることができる程度となっている。
【００３２】
本実施例に係る雨水集中落下防止装置１を鋼管材５１に取り付けるには、まず、図３に示すように、索状体２の摩擦材１０を鋼管材５１に接触させる。次に、図４に示すように、作業員が索状体２の先端２ａを連結具６の挿入口７に挿入し、そのまま索状体２を送り出すと、先端２ａが収容空間Ｓに収容される。その後、回動体１４の歯体１４ａが索状体２の隙間Ｓ５へ噛合する。この回動体１４は、第１の軸体１３に軸支され平板９に対し回動することから、索状体２の送り出しを継続させることによって、索状体２が第１の軸体１３と直交する方向、すなわち、送り出し方向Ｘへ進行するよう回動体１４によって案内される。なお、係止部材１７は、係止端１７ａが送出口８の方向に向いた姿勢を保持している。その後、案内された索状体２の先端２ａは斜面１５に到達する。
【００３３】
続いて、図５に示すように、斜面１５は、送出口８の下方で、かつピン５ａ，５ａの挿入口７寄りに配設され、その傾斜度は、挿入口７から送出口８に向かうにつれて大きくなっていることから、斜面１５に到達した先端２ａは、末端２ｂと衝突することが回避され、速やかに送出口８に案内されて送出される。なお、索状体２の外プレート３，３と、内プレート４，４は、ピン５において、互いに回動自在であるため、索状体２は自在に屈曲可能である。これにより、先端２ａが送出口８から速やかに送り出されることが可能になる。
【００３４】
図６に示すように、送出口８へ案内された索状体２の先端２ａは、作業員が索状体２の送り出しを継続させることによって、送出口８から遠ざかる。これにより、図１（ｂ）に示すように、索状体２が鋼管材５１に巻回されると、係止部材１７を、平板９に対し回動させて、係止端１７ａをピン５の一つに係止させる。すると、ピン５が係止部材１７に保持されて索状体２の送り出しと引き出しが停止する。
【００３５】
この状態において、他端１８ｂが係止部材１７へ近づくように（図５中α方向）、操作レバー１８を第１の軸体１３を中心として回動させる。すると、操作レバー１８は、その他端１８ｂが係止部材１７に到達可能な長さに構成されるため、操作レバー１８が係止部材１７を押さえ、係止部材１７が第２の軸体１６に対し回動することを抑制する。したがって、係止部材１７によって索状体２の送り出し及び引き出しが停止された状態が保持され、索状体２の先端２ａと末端２ｂが強固に連結される。なお、操作レバー１８の第１の軸体１３に対する回動のし易さは、工具を必要とするほどではないが、指である程度の力を加えなければ回動させることができない程度となっている。
これに対し、操作レバー１８をα方向と逆の方向へ回動して係止部材１７への押さえを解除し、係止部材１７を元の方向に回動させると、図４に示すように、係止端１７ａがピン５から外れる。したがって、索状体２の先端２ａと末端２ｂは分離可能な状態となり、索状体２は、挿入口７方向又は送出口８方向へ後進又は前進可能となる。
【００３６】
本実施例に係る雨水集中落下防止装置１においては、鋼管材５１を伝って流下してきた雨水は、大部分が索状体２の外プレート３，３及び内プレート４，４に衝突する。外プレート３，３及び内プレート４，４は、複雑な立体形状をなしていることから、落下してきた雨水が様々な方向にその流れの方向を変え、敷地の広い範囲に分散されて落下する。
さらに、索状体２は、連続する複数の隙間Ｓ５を有するため、雨水を分散する一方で、一部の雨水がこれらの隙間Ｓ５に流入し、そのまま下方の隙間Ｓ５を伝って流下し、敷地に落下する。
【００３７】
また、索状体２は、連結具６によって先端２ａ及び末端２ｂ同士が連結されているとともに、鋼管材５１に接触する面が、摩擦材１０で被覆されるため、索状体２の鋼管材５１に対する密着性が良好である。また、摩擦材１０は、衝撃吸収性を有するため、外プレート３，３及び内プレート４，４が風雨による振動によって鋼管材５１に衝突した際の鋼管材５１の損傷が回避される。
【００３８】
以上説明したように、本実施例に係る雨水集中落下防止装置１によれば、鋼管材を伝って落下してきた雨水が外プレート３，３及び内プレート４，４に衝突し、敷地の広い範囲に分散されて落下することから、雨水の集中落下を効率的に防止可能である。したがって、敷地内の表土の流出を抑制することができ、従来の課題であった埋め戻し作業による労力負担や費用負担を軽減することができる。
また、索状体２は、特許文献２に記載の発明のような円筒形に形成される管材よりも直径が小さく、さらに一部の雨水が隙間Ｓ５を伝って流下し、敷地に落下することから、雨水が衝突する圧力を逃がすことが可能である。したがって、雨水集中落下防止装置１が鋼管材５１からずり下がることを防止することができる。
【００３９】
また、鋼管材５１に巻回する索状体２は屈曲自在であるとともに、連結具６によって、索状体２の送り出しを適宜調整することができるため、鋼管材５１の直径に依存せずに雨水集中落下防止装置１を取り付け可能である。
さらに、連結具６の係止部材１７と操作レバー１８を操作することによって先端２ａと末端２ｂを連結又は分離可能であるから、工具を使用することなく簡単に雨水集中落下防止装置１を鋼管材５１へ着脱することができる。したがって、工具を必要とする従来技術と比較して、足場のない場所であっても着脱作業の効率を向上させることができる。加えて、連結具６においては、従来技術のような突起部も存在しないので、作業者の負傷を防止可能であり、安全性をも向上させることができる。
【００４０】
そして、雨水集中落下防止装置１によれば、摩擦材１０によって、索状体２及び連結具６の鋼管材５１に対する密着性が良好である。そのため、摩擦材１０によっても雨水集中落下防止装置１が鋼管材５１からずり下がることを防止可能であり、長期間に亘って安定的に雨水の集中落下を防止可能である。さらに、索状体２等の鋼管材５１に対する密着性が良好であることは、索状体２等と鋼管材５１との隙間が狭少となるから、雨水が索状体２等へ衝突する効率を高めることが可能である。
【００４１】
また、摩擦材１０が衝撃吸収性を有することで、外プレート３，３及び内プレート４，４が鋼管材５１に衝突した際の鋼管材５１の損傷が回避されるため、長期に亘って索状体２を鋼管材５１に巻回した場合であっても、鋼管材５１の塗装の剥がれや、こすれ傷の発生等の、索状体２を鋼管材５１に巻回したことによる不利益を無くすことができる。
このほか、雨水集中落下防止装置１は、後述するように、実施例２に係る防蛇シートを工具不要で鋼管材へ取り付けるための取付用部材としての役割も発揮し得る。したがって、防蛇シートを取り付けるための作業を簡素化できるという有利な効果を有する。
【実施例２】
【００４２】
本発明の実施の形態に係る実施例２の防蛇シートについて、図７を用いて詳細に説明する。図７（ａ）及び図７（ｂ）は、それぞれ実施例２に係る防蛇シートの平面図及び使用状態図である。なお、図１乃至図６で示した構成要素については、図７においても同一の符号を付して、その説明を省略する。
図７（ａ）に示すように、本実施例に係る防蛇シート１９は、実施例１に係る雨水集中落下防止装置１を介して鋼管材５１に巻回される防蛇シートである。
この防蛇シート１９は、４つの辺２０ａ〜２０ｄを有するシート体２０と、
辺２０ａ〜２０ｄのうちの一つの辺２０ａに設けられ、索状体２を介して一つの辺２０ａを鋼管材５１に固定する固定部材２１と、一つの辺２０ａを挟んだ二つの辺２０ｃ，２０ｄに設けられ、シート体２０を鋼管材５１に巻回した状態を保持するために、二つの辺２０ｃ，２０ｄを互いに連結する連結部材２２が設けられる。シート体２０、固定部材２１及び連結部材２２は、いずれも屈曲可能な合成樹脂材から構成される。
【００４３】
シート体２０は、扇の要部分を中心として、円弧状に切り欠かれたような形状をなす。また、固定部材２１は、複数の略矢印形状をなす小片であって、三角形状をなす先端２１ａが索状体２の複数の隙間Ｓ５(図２，３参照)に差し込まれた後、基端２１ｂが折り曲げられることで、辺２０ａが鋼管材５１に巻回された索状体２へ固定される。
さらに、連結部材２２は、複数の鋸歯状部２３ａを備える小片２３と、鋸歯状部２３ａがそれぞれ差し込まれる複数対の切れ込み２４からなる。
【００４４】
このような構成の防蛇シート１９を、雨水集中落下防止装置１を介して鋼管材５１に巻回するには、最初に固定部材２１を隙間Ｓ５に差し込み、シート体２０の辺２０ａを索状体２を介して鋼管材５１に固定する。次に、複数の小片２３の鋸歯状部２３ａをそれぞれ対応する切れ込み２４に差し込んで、二つの辺２０ｃ，２０ｄを互いに連結すると、シート体２０が鋼管材５１の周囲に巻回される。
図７（ｂ）に示すように、鋼管材５１の周囲に巻回されたシート体２０は、内部空間Ｓ２０を有する円錐形状に形成されることから、蛇やつる性植物が、鋼管材５１の下方から登って来た場合に、矢印のとおり、内部空間Ｓ２０の中でシート体２０に阻まれて方向転換をすることになる。よって、蛇等は、シート体２０を超えて上昇することができなくなる。
【００４５】
以上、説明したように、実施例２に係る防蛇シート１９によれば、シート体２０を索状体２を介して鋼管材５１に固定した後、二つの辺２０ｃ，２０ｄを連結部材２２を介して互いに連結するという簡単な手順によって、シート体２０を鋼管材５１に巻回可能である。すなわち、工具不要でシート体２０を鋼管材５１に巻回可能であるから、工具が必要な場合と比較して、作業効率が良好になるとともに、作業員の負担を軽減することができる。
さらに、蛇等が鋼管材５１を這い上がってくることを確実に防止することができる。
【００４６】
なお、本発明の雨水集中落下防止装置１及び防蛇シート１９の構造は、それぞれ実施例に示すものに限定されない。例えば、索状体２は、チェーンの代わりに、ロープやワイヤが使用されても良い。この場合、回動体１４としては、スプロケットの代わりに滑車が使用され、係止部材１７は、先端が二股に分かれてロープ等をその両側から挟持する挟持部材が使用されることが考えられる。
あるいは、係止端１７ａは、側面視でフック状に形成されることでピン５を保持しても良い。また、摩擦材１０は、索状体２の表面全体に施されても良い。
また、操作レバー１８の他端１８ｂを分岐させて、そのうちの一つの枝の先端にフックを形成し、このフックを第２の軸体１６に掛け止めることにより、操作レバー１８による係止部材１７の押さえを強化しても良い。
さらに、索状体２がロープ等である場合には、索状体２が隙間Ｓ５を有しないので、防蛇シート１９の固定部材２１を、ロープ等と鋼管材５１の間に差し込んだ後、基端２１ｂが折り曲げることで、シート体２０が鋼管材５１に固定することができる。
このほか、雨水集中落下防止装置１は、１本の鋼管材５１に複数個が取り付けられても良い。また、雨水集中落下防止装置１は、防蛇シート１９が取り付けられずに鋼管材５１に取り付けられても良い。
【産業上の利用可能性】
【００４７】
本発明は、鉄塔を構成する鋼管材を伝って雨水が集中的に落下することを防止するための雨水集中落下防止装置、及びこの雨水集中落下防止装置を介して鋼管材に巻回される防蛇シートとして適用可能である。
【符号の説明】
【００４８】
１…雨水集中落下防止装置  ２…索状体  ２ａ…先端  ２ｂ…末端  ３…外プレート  ３ａ…端面  ４…内プレート  ４ａ…端面  ５，５ａ…ピン  ６…連結具  ７…挿入口  ８…送出口  ９…平板  ９ａ…連結片  ９ｂ…端面  １０…摩擦材  １１…案内部材  １２…ロック部材  １３…第１の軸体  １４…回動体  １４ａ…歯体  １５…斜面  １６…第２の軸体  １７…係止部材  １７ａ…係止端  １８…操作レバー  １８ａ…一端  １８ｂ…他端  １９…防蛇シート  ２０…シート体  ２０ａ〜２０ｄ…辺  ２１…固定部材  ２１ａ…先端  ２１ｂ…基端  ２２…連結部材  ２３…小片  ２３ａ…鋸歯状部  ２４…切れ込み  ５０…鉄塔  ５１…鋼管材  Ｓ…収容空間  Ｓ５…隙間  Ｓ２０…内部空間
【図１】
2018178404.tif 000003
【図２】
2018178404.tif 000004
【図３】
2018178404.tif 000005
【図４】
2018178404.tif 000006
【図５】
2018178404.tif 000007
【図６】
2018178404.tif 000008
【図７】
2018178404.tif 000009